(57)【特許請求の範囲】
【請求項１】
不可搬の第１の記録装置と、
可搬の第２の記録装置とを有し、
元データを、第１のデータと、該元データを複製不可能な第２のデータとに分離し、該第１のデータおよび該第１のデータと該第２のデータの結合に必要なデータを前記第１の記録装置に記録するとともに、該第２のデータを前記第２の記録装置に記録する記録装置であって、
前記元データを外部から入力し、前記第１の記録装置に記録する前記第１のデータと、前記第２の記録装置に記録する前記第２のデータとに分離するデータ入力／分離装置と、
前記第1の記録装置に記録された前記第１のデータと、前記第２の記録装置に記録された前記第２のデータとの対応を管理するデータ管理装置と、
前記第１の記録装置に記録された前記第１のデータと、前記第２の記録装置に記録された前記第２のデータを結合し、前記元データが複製不許可データである場合には、アナログデータとしてのみ出力し、前記元データが複製不許可データでない場合には、アナログデータとしてもデジタルデータとしても出力することができるデータ結合／出力装置とを備えることを特徴とする記録装置。
【請求項２】
不可搬の第１の記録装置と、
可搬の第２の記録装置とを有し、
元データを、第１のデータと、該元データを複製不可能な第２のデータとに分離し、該第１のデータおよび該第１のデータと該第２のデータの結合に必要なデータを前記第１の記録装置に記録するとともに、該第２のデータを前記第２の記録装置に記録する記録装置であって、
前記元データがＭＰＥＧデータである場合に、前記第１のデータがＩピクチャであることを特徴とする記録装置。
【発明の詳細な説明】
【０００１】
【発明の属する技術分野】
本発明は、元データの複製を困難とする記録装置に関する。
【０００２】
近年、技術の進歩により、映像信号や音声信号などをデジタルで伝送し、デジタルで記録する装置の開発が可能となり、ＤＶＨＳデジタルビデオテープデッキやＤＶＤ−ＲＡＭ装置などのデジタル記録装置が製品化されている。
【０００３】
これらのデジタル記録装置は、伝送されてくるデジタルデータをそのまま記録することができるため、データの劣化を招かないという点に大きな特徴があるが、反面、元データの複製を容易に作成することが可能なことから、著作権があるデータなど、複製から保護すべきデータについては、簡単に複製されないようにする必要がある。
【０００４】
【従来の技術】
従来、複製から保護すべきデータの保護方法の一例として、複製から保護すべきデータを暗号化して伝送し、暗号化された状態で記録媒体に記録し、管理された解読鍵を使って再生するか、あるいは、管理された解読鍵を使って再生した後、再度、暗号化して記録媒体に記録するなど、暗号化技術を用いる方法が知られている。
【０００５】
また、複製から保護すべきデータの保護方法の他の例として、データを内蔵式のハードディスク装置に記録し、データを外部に取り出せないようにする方法が知られている。
【０００６】
【発明が解決しようとする課題】
しかし、暗号化技術による保護は、解読鍵の漏洩、あるいは、解読技術の進歩により、複製から保護すべきデータが解読されてしまう恐れがあり、一旦、解読されてしまうと、デジタル記録の性質上、元データの複製を簡単に作成することが可能となってしまう。
【０００７】
また、データを内蔵式のハードディスク装置に記録する方法では、記憶容量が限られてしまい、現在の技術では、数十時間分のデータを保護できるのが限度であり、それを越える場合は、記録されているデータを削除しなければならず、不便であるという問題点があった。
【０００８】
また、記録装置から内蔵式のハードディスク装置を取り出し、その中のデータの複製を作成することは技術上容易であり、データを内蔵式のハードディスク装置に記録する方法は、複製から保護すべきデータの保護手段としては、必ずしも有効ではないといった問題点があった。
【０００９】
本発明は、かかる点に鑑み、複製から保護すべきデータを有効に保護することができ、しかも、多くのデータを記録することができるようにした記録装置を提供することを目的とする。
【００１０】
【課題を解決するための手段】
本発明の記録装置は、不可搬の第１の記録装置と、可搬の第２の記録装置とを有し、元データを、第１のデータと、該元データを複製不可能な第２のデータとに分離し、該第１のデータおよび該第１のデータと該第２のデータの結合に必要なデータを前記第１の記録装置に記録するとともに、該第２のデータを前記第２の記録装置に記録するというものである。
【００１１】
本発明によれば、元データは、第１のデータと、元データを複製不可能な第２のデータとに分離され、第１のデータおよび第１のデータと第２のデータの結合に必要なデータは第１の記録装置に記録されるとともに、第２のデータは第２の記録装置に記録されるので、たとえ、第２の記録装置に記録された第２のデータを外部に取り出すことができる場合であっても、第２のデータのみから、元データを複製することは不可能である。
【００１２】
【発明の実施の形態】
図１は本発明の一実施形態の要部を示すブロック回路図である。図１中、１、２は記録媒体を不可搬とし、容易に取り外すことができないように固定された記録装置、たとえば、メイン基板上に半田付け固定された書き換え可能な不揮発性の半導体メモリである。なお、記録装置２は、記録装置１のバックアップ用として使用し、記録装置１と同一内容を記録するものであり、必須のものではない。
【００１３】
また、３は記録装置１に記録される以外の元データの大部分を記録するための記録装置であり、たとえば、ハードディスク装置やＤＶＤ−ＲＡＭ装置やＭＯ装置である。
【００１４】
また、４は記録装置３の記録容量を越えるデータ量のデータを保存するために使用する記録装置であり、記録装置３を補足するものであり、記録装置４は、たとえば、記録装置３が記録媒体を不可搬とする固定式のハードディスク装置などを使用する場合に、有効な手段であり、記録装置４に記録するデータは、記録装置３から削除することができる。
【００１５】
したがって、記録装置３がＤＶＤ−ＲＡＭ装置やＭＯ装置など記録媒体を可搬とする記録装置である場合や、カセット式のハードディスク装置である場合には、記録装置４は必須ではない。なお、記録装置４としては、カセット式のハードディスク装置やＤＶＤ−ＲＡＭ装置やＭＯ装置などを使用することができる。
【００１６】
また、５は元データを入力するデータ入力装置であり、元データは、デジタルデータの場合もあるし、アナログデータの場合もある。データ入力装置５は、元データがデジタルデータの場合で暗号化されている場合には、暗号化されたままで入力するようにしても良いし、あるいは、暗号化されているデータを解読するようにしても良いし、あるいは、解読した後、再び暗号化するようにしても良いが、元データがアナログデータの場合には、デジタル化する。
【００１７】
また、６はデータ入力装置５から出力される元データを記録装置１に記録するデータＡと記録装置３に記録するデータＢとに分離するデータ分離装置である。たとえば、元データの中でも特に重要となるデータや付加情報はデータＡとし、その他をデータＢとする。たとえば、データの名称や、データの記録日時や、元データが複製不許可データであるか否かの情報や、データがＭＰＥＧデータの場合にはＩピクチャの一部や、データＡ及びデータＢの結合に必要な管理データなどは、データＡに含めるようにする。
【００１８】
また、７はデータ分離装置６から出力されるデータＡ、データＢをそれぞれ記録媒体１、３のどの位置に記録するかの管理や、記録装置３もしくは記録装置４の記録媒体が交換された場合であっても、記録装置１が記録するデータＡとの対応を取るための管理などを行うデータ管理装置である。なお、記録装置１が記録するデータＡとの対応を取るための管理は、記録装置３の記録媒体もしくは記録装置４の記録媒体の各々について一意に識別できる情報ＩＤを記録装置３の記録媒体もしくは記録装置４の記録媒体に記録しておくと共に、データＡにも、この情報ＩＤを含めておくことにより行う。
【００１９】
また、８は記録装置１に記録されたデータＡと記録装置３に記録されたデータＢを結合するデータ結合装置、９はデータ結合装置８から出力されるデータを外部に出力するデータ出力装置であり、データ出力装置９は、データＡに含まれる元データが複製不許可データであるか否かの情報により、元データが複製不許可データである場合には、元データをアナログデータとしてのみ出力し、元データが複製不許可データでない場合には、アナログデータ又はデジタルデータとして出力する。
【００２０】
このように構成された本発明の一実施形態においては、外部から与えられる元データは、データ入力装置５に入力され、この場合、元データがデジタルデータの場合で暗号化されている場合には、暗号化されたままで入力され、あるいは、解読され、あるいは、解読された後、再び暗号化される。また、元データがアナログデータの場合には、デジタル化される。
【００２１】
そして、データ入力装置５から出力される元データは、データ分離装置６に入力され、データＡとデータＢとに分離され、データＡは、元データが複製不許可データであるか否かの情報及びデータＡ、データＢの結合に必要な管理データなどを含めて記録装置１に記録され、データＢは記録装置３に記録される。なお、記録装置２を備えるように構成する場合には、記録装置１に記録されたデータＡを記録装置１から読み出して記録装置２に記録することもできる。
【００２２】
なお、元データが複製不許可データでない場合には、記録装置１に記録されたデータＡと、記録装置３に記録されたデータＢとを読み出し、これらデータＡとデータＢとを結合して記録装置４に記録することもできる。これに対して、元データが複製不許可データである場合には、記録装置３に記録されたデータＢのみを読み出し、データＢのみを記録装置４に記録することができる。
【００２３】
そして、元データの再生時、記録装置１に記録されたデータＡと記録装置３に記録されたデータＢとが読み出されてデータ結合装置８に入力され、データＡとデータＢとが結合され、データ出力装置９は、元データが複製不許可データである場合には、元データをアナログデータとしてのみ出力し、元データが複製不許可データでない場合には、アナログデータ又はデジタルデータとして出力するように動作する。
【００２４】
このように、本発明の一実施形態によれば、元データの一部は、記録媒体を不可搬とし、容易に取り外すことができないように固定された記録装置１に記録されるので、たとえ、記録装置３に記録されたデータを外部に取り出すことができる場合であっても、記録装置３に記録されたデータのみから、元データを複製することは不可能である。したがって、複製から保護すべき元データを有効に保護することができる。
【００２５】
また、記録装置１に記録するデータは元データの一部で良く、元データの大部分は記録装置３に記録することができるため、記録装置１が不可搬で記録容量に限界があっても、記録装置３を、それ自体が可搬である記録装置（たとえば、カセット式のハードディスク装置）あるいは記録媒体が可搬である記録装置（たとえば、ＤＶＤ−ＲＡＭ装置やＭＯ装置）とする場合や、あるいは、記録装置３を不可搬の記録装置（たとえば、固定式のハードディスク装置）とする場合であっても、記録装置４として、それ自体が可搬である記録装置（たとえば、カセット式のハードディスク装置）あるいは記録媒体が可搬である記録装置（たとえば、ＤＶＤ−ＲＡＭ装置やＭＯ装置）を備えるようにする場合には、数千時間といった記録時間に対応することが可能であり、実用上問題のないレベルとすることができる。
【００２６】
なお、記録装置１は、元データの一部と付加情報だけを記録すれば足り、小容量のもので足りるので、記録装置１のバックアップ用として記録装置２を備えるようにしても、コスト的に問題となることはない。
【００２７】
図２は本発明の一実施形態の一具体例の要部を示すブロック回路図である。図２中、１０は記録装置１をなすフラッシュＲＯＭであり、フラッシュＲＯＭ１０は、メイン基板上に容易に取り外すことができないように半田付けされる。なお、記録装置２をなす記録装置は、記録装置１をなすフラッシュＲＯＭ１０が十分信頼性が高く、バックアップの必要がないため、備えていない。
【００２８】
また、１１は記録装置３をなすハードディスク装置、１２は記録装置４をなすＤＶＤ−ＲＡＭ装置であり、これらハードディスク装置１１及びＤＶＤ−ＲＡＭ装置１２は、ハウジングにネジ止め固定される。なお、ＤＶＤ−ＲＡＭ装置１２の代わりに、ＭＯ装置を備えるようにしても良い。
【００２９】
また、１３はデジタルＡ（音声）／Ｖ（映像）データの入出力を行うＩＥＥＥ１３９４対応のデジタルデータ伝送用ＬＳＩ、１４はアナログＡ／Ｖデータを入力してＭＰＥＧ２方式のデジタルＡ／ＶデータにエンコードするＭＰＥＧ２エンコーダ、１５はＭＰＥＧ２方式のデジタルＡ／ＶデータをデコードしてアナログＡ／Ｖデータを出力するＭＰＥＧ２デコーダである。
【００３０】
また、１６は元データのデータＡとデータＢへの分離や、フラッシュＲＯＭ１０に記録されたデータＡとハードディスク装置１１に記録されたデータＢとの結合を行うＦＰＧＡ、１７はＦＰＧＡ１６の作業用メモリであるＳＤＲＡＭであり、ＦＰＧＡ１６とＳＤＲＡＭ１７とでデータ分離装置６及びデータ結合装置８が構成されている。
【００３１】
また、１８はＦＰＧＡ１６から出力されるデータＡ及びデータＢをそれぞれフラッシュＲＯＭ１０及びハードディスク装置１１のどの位置に記録するかの管理や、ハードディスク装置１１もしくはＤＶＤ−ＲＡＭ装置１２のＤＶＤ−ＲＡＭが交換された場合であっても、フラッシュＲＯＭ１０が記録するデータＡとの対応を取るための管理などを行うＣＰＵ、１９はＣＰＵ１８の作業用メモリであるＳＲＡＭであり、ＣＰＵ１８とＳＲＡＭ１９とでデータ管理装置７が構成されている。
【００３２】
また、２０は装置フロント面に設けられたコントロール用スイッチからの信号をバッファリングするバッファ回路、２１は装置フロント面に設けられた表示用ＬＥＤを制御するバッファ回路、２２、２３はバスである。
【００３３】
このように構成された本発明の一実施形態の一具体例においては、元データがデジタルＡ／Ｖデータの場合には、元データは、デジタルデータ伝送用ＬＳＩ１３を介して入力される。そして、入力されたデジタルＡ／Ｖデータが暗号化されている場合には、暗号化されたままで入力され、あるいは、解読され、あるいは、解読された後、再び暗号化される。また、元データがアナログＡ／Ｖデータの場合には、元データは、ＭＰＥＧ２エンコーダ１４に入力され、ＭＰＥＧ２方式のデジタルＡ／Ｖデータに変換される。
【００３４】
入力された元データは、ＦＰＧＡ１６に入力され、データＡとデータＢに分離され、データＡは、元データが複製不許可データであるか否かの情報及びデータＡ、データＢの結合に必要な管理データなどを含めてフラッシュＲＯＭ１０に記録され、データＢは、ハードディスク装置１１に記録される。
【００３５】
なお、元データが複製不許可データでない場合には、フラッシュＲＯＭ１０に記録されたデータＡと、ハードディスク装置１１に記録されたデータＢとを読み出し、これらデータＡ、データＢをＦＰＧＡ１６で結合し、ＤＶＤ−ＲＡＭ装置１２のＤＶＤ−ＲＡＭに記録することができる。これに対して、元データが複製不許可データである場合には、ハードディスク装置１１に記録されたデータＢのみを読み出し、データＢのみをＤＶＤ−ＲＡＭ装置１２のＤＶＤ−ＲＡＭに記録することができる。
【００３６】
そして、元データの再生時、フラッシュＲＯＭ１０に記録されているデータＡとハードディスク装置１１に記録されているデータＢとが読み出されてＦＰＧＡ１６に入力され、データＡとデータＢが結合される。ここに、元データが複製不許可データである場合には、結合されたデータは、デジタルデータ伝送用ＬＳＩ１３に供給され、元データはデジタルデータとして出力され、元データが複製不許可データでない場合には、結合されたデータは、ＭＰＥＧ２デコーダ１５に供給され、元データはアナログＡ／Ｖデータとして出力される。
【００３７】
このように、本発明の一実施形態の一具体例によれば、元データの一部は、容易に取り外すことができないように固定されたフラッシュＲＯＭ１０に記録されるので、たとえ、ハードディスク装置１１を取り外すことができたとしても、ハードディスク装置１１に記録されたデータのみから、元データをデジタルコピーすることは不可能である。したがって、複製から保護すべき元データを有効に保護することができる。
【００３８】
また、記録装置３として、ハードディスク装置１１を備えており、ハードディスク装置１１には数十時間分しか記録できないが、保存すべきデータをＤＶＤ−ＲＡＭ装置１２に記録することが可能であり、保存すべきデータをハードディスク装置１１から削除することができるため、従来例に比較して、はるかに多くのデータを記録することができる。
【００３９】
また、元データが複製不許可データであるか否かの情報やデータＡとデータＢとを結合するための管理情報などは、フラッシュＲＯＭ１０に記録されるので、記録時及び再生時に、ハードディスク装置１１においては、管理情報の記録・再生のためのヘッドシークを行う必要がなく、記録・再生の効率を上げることができる。
【００４０】
【発明の効果】
以上のように、本発明によれば、元データは、第１のデータと、元データを複製不可能な第２のデータとに分離され、第１のデータおよび第１のデータと第２のデータの結合に必要なデータは第１の記録装置に記録されるとともに、第２のデータは第２の記録装置に記録されるので、たとえ、第２の記録装置に記録された第２のデータを外部に取り出すことができる場合であっても、第２のデータのみから、元データを複製することは不可能である。したがって、複製から保護すべきデータを有効に保護することができる。
【図面の簡単な説明】
【図１】  本発明の一実施形態の要部を示すブロック回路図である。
【図２】  本発明の一実施形態の一具体例の要部を示すブロック回路図である。
【符号の説明】
（図１）
１、２、３、４  記録装置
５  データ入力装置
６  データ分離装置
７  データ管理装置
８  データ結合装置
９  データ出力装置
（図２）
１０  フラッシュＲＯＭ
１１  ハードディスク装置
１２  ＤＶＤ−ＲＡＭ装置（ＭＯ装置）
１３  デジタルデータ伝送用ＬＳＩ
１４  ＭＰＥＧ２エンコーダ
１５  ＭＰＥＧ２デコーダ
１６  ＦＰＧＡ
１７  ＳＤＲＡＭ
１８  ＣＰＵ
１９  ＳＲＡＭ
２０、２１  バッファ回路
【図１】
0004514869.tif 000002
【図２】
0004514869.tif 000003